(57)【要約】【課題】圧縮エア駆動式の釘打ち機等の打ち込み工具において、暗所等で打ち込み作業を行うための便宜を図るために、ＬＥＤ等の照明装置を備えたものが提供されていたが、これでは電源が必要になるばかりでなく構成が複雑化する問題があった。本発明では、構成を複雑化することなく、暗所等でも打ち込み部位が見えやすくなるようにする。【解決手段】打ち込み具ｎの射出口４ｂの周辺であって、コンタクトレバー９の材当接部９ａに装着する材傷付き防止用のノーズアダプタ１０を蛍光材若しくは蓄光材を素材として成形して光を発する発光部Ｆとする。【選択図】図１
2014034092.tif 000002
【特許請求の範囲】
【請求項１】
打ち込み方向に沿って往復動するピストンを内装した工具本体部の先端に、打ち込み通路を有するドライバガイドを備え、該ドライバガイドの先端部が打ち込み具の射出口とされた打ち込み工具であって、前記射出口若しくはその周囲に、光を発する発光部を設けた打ち込み工具。
【請求項２】
請求項１記載の打ち込み工具であって、前記ドライバガイドの先端であって前記射出口に前記発光部を設けた打ち込み工具。
【請求項３】
請求項１記載の打ち込み工具であって、スイッチレバーの引き操作により前記工具本体部において打ち込み動作がなされ、前記ドライバガイドに沿って上下に相対変位可能に設けられて上方への相対変位により前記スイッチレバーの引き操作を有効とするコンタクトレバーを備えており、該コンタクトレバーの先端に前記発光部を設けた打ち込み工具。
【請求項４】
請求項３記載の打ち込み工具であって、前記コンタクトレバーの先端であって前記射出口の周囲にノーズアダプタを装着可能で、該ノーズアダプタに前記発光部を設けた打ち込み工具。
【請求項５】
請求項１記載の打ち込み工具であって、前記射出口とされた前記ドライバガイドの少なくとも先端部が発光材料を素材として形成されて前記発光部とされた打ち込み工具。
【請求項６】
請求項５記載の打ち込み工具であって、前記発光材料として蓄光材又は蛍光材又は反射材を用いた打ち込み工具。
【請求項７】
請求項１〜４の何れか１項に記載した打ち込み工具であって、蓄光塗料若しくは蛍光塗料を塗布して前記発光部とした打ち込み工具。
【発明の詳細な説明】
【技術分野】
【０００１】
この発明は、例えば釘打ち機等の打ち込み工具に関する。
【背景技術】
【０００２】
例えば圧縮エア駆動式の釘打ち機には、圧縮エアにより往復動するピストン及びシリンダを内装した工具本体部と、使用者が把持するハンドル部と、多数本の打ち込み具を装填したマガジンを備えたものが提供されている。工具本体部の打ち込み方向前面にはドライバガイドが設けられている。使用者がハンドル部を把持した手の指先でトリガ形式のスイッチレバーを引き操作すると工具本体部内のシリンダ上室に圧縮エアが供給されてピストンが下動する。ピストンにはドライバガイドが一体に設けられている。このドライバガイド内には、打ち込み動作に連動してマガジンから打ち込み具（釘）が１本ずつ供給される。このため、ピストンと一体でドライバがドライバガイド内を下動することにより、供給された打ち込み具が打撃されて射出口（ドライバガイドの先端部）から打ち出される。
係る打ち込み工具には、通常その誤作動を防止するために、ドライバガイドの先端にコンタクトレバーと称される誤作動防止機構が装備されている。コンタクトレバーは、ドライバガイドの先端部から上方に延びてスイッチレバー付近に至っている。
コンタクトレバーを打ち込み部位に当接させた状態で当該打ち込み工具を打ち込み方向に押し付けて、コンタクトレバーをドライバガイドに対して相対的にオン位置まで上動させた時に、スイッチレバーの引き操作が有効となって工具本体部の打ち込み動作がなされるようになっている。コンタクトレバーをオン位置まで上動させない状態では、スイッチレバーの引き操作は無効若しくは引き操作自体が不能となって、工具本体部での不用意な打ち込み動作がなされないようになっている。
従来、下記の特許文献に開示されているようにこの種の打ち込み工具には、屋内の暗所等での打ち込み作業の便宜を図るための照明装置を備えた打ち込み工具が提供されている。この照明装置により打ち込み部位が明るく照らされて暗所でもはっきり目視できることから、打ち込み作業を迅速かつ精確に行うことができる。
【先行技術文献】
【特許文献】
【０００３】
【特許文献１】特開２００９−２０２２８７号公報
【特許文献２】特開２００４−２０９５６７号公報
【特許文献３】特開２０１１−２０６８５６号公報
【発明の概要】
【発明が解決しようとする課題】
【０００４】
しかしながら、従来の照明装置は、光源として電球若しくはＬＥＤ（発光ダイオード）を用いることから電源が必要となる。上記の特許文献１に開示されているように打ち込み工具そのものがバッテリを電源とするバッテリ式の打ち込み工具である場合には、このバッテリを照明装置の電源として流用することができるが、特許文献２に開示されているように圧縮エア駆動式の打ち込み工具の場合には、照明装置のために別途電池等の電源を用意してこれをコンパクトに組み込む必要があり、この点で打ち込み工具の構成が複雑化し、また大きなコストアップを招く問題があった。
本発明は、係る従来の問題に鑑みてなされたもので、構成の複雑化及び大きなコストアップを招くことなく、暗所等であっても打ち込み部位が明るく照らされるようにして打ち込み作業を迅速かつ確実に行うことができるようにすることを目的とする。
【課題を解決するための手段】
【０００５】
上記の課題は、下記の発明によって解決される。
第１の発明は、打ち込み方向に沿って往復動するピストンを内装した工具本体部の先端に、打ち込み通路を有するドライバガイドを備え、このドライバガイドの先端部が打ち込み具の射出口とされた打ち込み工具であって、この射出口若しくはその周囲に、光を発する発光部を設けた打ち込み工具である。
第１の発明によれば、射出口及びその周辺が発光部により明るく照らされて暗所等でも打ち込み部位を目視しやすくなるので、打ち込み作業を迅速かつ確実に行うことができるようになる。
第２の発明は、第１の発明において、ドライバガイドの先端であって射出口に発光部を設けた打ち込み工具である。
第２の発明によれば、射出口を有するドライバガイドの先端部であって当該射出口から光が発せられて打ち込み部位が明るく照らされる。
第３の発明は、第１の発明において、スイッチレバーの引き操作により工具本体部において打ち込み動作がなされ、ドライバガイドに沿って上下に相対変位可能に設けられて上方への相対変位によりスイッチレバーの引き操作を有効とするコンタクトレバーを備えており、このコンタクトレバーの先端に発光部を設けた打ち込み工具である。
第３の発明によれば、スイッチレバーの引き操作を有効とするために打ち込み部位に押し付けるコンタクトレバーの先端から光が発せられる。このため、暗所等での打ち込み作業であっても、当該コンタクトレバーの先端部を精確に打ち込み部位に押し当てることができ、これにより打ち込み作業を迅速かつ精確に行うことができる。
第４の発明は、第３の発明において、コンタクトレバーの先端であって前記射出口の周囲にノーズアダプタを装着可能で、該ノーズアダプタに前記発光部を設けた打ち込み工具である。
第４の発明によれば、コンタクトレバーの先端部であって射出口の周囲に光を発するノーズアダプタを装着しておくことにより、射出口周辺が明るく照らされて暗所でも打ち込み部位を目視しやすくなる。例えば樹脂製のノーズアダプタをコンタクトレバーの先端であって射出口の周囲に装着することにより、打ち込み材の傷付きを防止することができる。係る樹脂製のノーズアダプタを例えば蓄光又は蛍光等の発光機能を有する樹脂材料を素材として製作することができる。
第５の発明は、第１の発明において、射出口とされたドライバガイドの少なくとも先端部が発光材料を素材として形成されて発光部とされた打ち込み工具である。
第５の発明によれば、ドライバガイドの少なくとも先端部であって射出口自体が発光して打ち込み部位が明るく照らされることにより、暗所等での打ち込み作業を迅速かつ精確に行うことができる。ドライバガイドの全体を発光材料を素材として形成することにより射出口自体を発光部としてもよい。
第６の発明は、第５の発明において、発光材料として蓄光材又は蛍光材又は反射材を用いた打ち込み工具である。
第６の発明によれば、ドライバガイドの少なくとも先端部であって射出口が蓄光材又は蛍光材又は反射材を素材として形成されて、当該射出口自体が発光部として光を発することにより、打ち込み部位が明るく照らされる。
第７の発明は、第１〜第４の何れか一つの発明において、蓄光塗料若しくは蛍光塗料を塗布して発光部とした打ち込み工具である。
第７の発明によれば、簡易かつ低コストで発光部を設けることができる。また、射出口に発光部を有しない既存製品について低コストで発光部を後付けすることができる。
【図面の簡単な説明】
【０００６】
【図１】本発明の実施形態に係る打ち込み工具の全体側面図である。
【図２】図１の(II)部拡大図であって、射出口付近の縦断面図である。
【図３】ノーズアダプタ単体の斜視図である。
【図４】別形態の発光部を備えた射出口周辺の縦断面図である。本図は、ノーズアダプタが取り外された状態で示されている。
【発明を実施するための形態】
【０００７】
次に、本発明の実施形態を図１〜図４に基づいて説明する。図１は、本実施形態に係る打ち込み工具１の全体を示している。本実施形態の打ち込み工具１は、打ち込み具ｎが打ち出される射出口に発光部を備えた点に特徴を有するもので、その他打ち込み工具としての基本的な構成については特に変更を要しないので詳細な説明は省略する。なお、この明細書では、部材若しくは構成の上下方向について、打ち込み具ｎの打ち込み方向（図１において下側）を下側とし、その反対方向を上側とする。
この打ち込み工具１は、圧縮エア駆動式の釘打ち機で、ピストン７を内装した工具本体部２と、工具本体部２の側部から側方へ長く延びるハンドル部３と、工具本体部２の下部から下方へ突き出す状態に設けられた筒形のドライバガイド４と、ハンドル部３とドライバガイド４との間に掛け渡し状態で取り付けられたマガジン５を備えている。
ピストン７の下面側に打撃用のドライバ８が取り付けられている。ドライバ８は細長い棒状の部材で、ピストン７の下面中心から下方へ長く延びている。ドライバ８の先端部は、ドライバガイド４の打ち込み通路４ａ内に進入している。
ハンドル部３の先端に、駆動源としての圧縮エア供給用のエアホースが接続される。図では、エアホース接続用のプラグ３ａのみが示されている。ハンドル部３の基部付近には、使用者が指先で引き操作するトリガ形式のスイッチレバー６が配置されている。このスイッチレバー６の引き操作により工具本体部２に圧縮エアが供給される。工具本体部２に圧縮エアが供給されると、ピストン７が下動してドライバ８が打ち込み通路４ａ内を下動し、その下動途中で打ち込み具ｎの頭部が当該ドライバ８で打撃される。打撃された打ち込み具ｎは、ドライバガイド４の下端の射出口４ｂから打ち出される。打ち出された打ち込み具ｎは、打ち込み材Ｗに打ち込まれる。
【０００８】
ドライバガイド４には、コンタクトレバー９が併設されている。このコンタクトレバー９は、ドライバガイド４に沿って上下に相対変位可能に支持されている。図では省略されているが、このコンタクトレバー９の上部は、スイッチレバー６付近に至っている。一方、コンタクトレバー９の下端部には円環形状の材当接部９ａが一体に設けられている。図２に示すようにこの材当接部９ａの内側にドライバガイド４の先端部が挿通されており、従ってこの材当接部９ａの内側に射出口４ｂが位置している。材当接部９ａは、射出口４ｂの周囲において上下に変位する。コンタクトレバー９は、その材当接部９ａを射出口４ｂから僅かに下方へ突き出したオフ位置側に付勢されている。材当接部９ａを打ち込み材Ｗの打ち込み部位に当接させて当該打ち込み工具１を押し付けると、このコンタクトレバー９がドライバガイド４に対して相対的に上動してオン位置に至り、これによりスイッチレバー６の引き操作が有効になって工具本体部２において打ち込み動作がなされる。材当接部９ａを打ち込み材Ｗに押し付けてコンタクトレバー９をオン位置まで上動させた状態でないと、スイッチレバー６の引き操作は無効になって工具本体部２での打ち込み動作はなされず、これにより不用意な打ち込み動作が未然に防止されるようになっている。
【０００９】
射出口４ｂの周囲に位置する材当接部９ａには、ノーズアダプタ１０が装着されている。このノーズアダプタ１０は、弾性樹脂材料を素材として成形により製作されている。図３には、材当接部９ａから取り外した状態のノーズアダプタ１０が示されている。図示するようにこのノーズアダプタ１０は、有底の円筒形状を有しており、底部中心に打ち込み具ｎを通過させる円形の規制孔１０ａが設けられている。また、このノーズアダプタ１０の内周側であって底部上面には、円環形状のガイド部材１１が一体に成形されている。このガイド部材１１によって打ち込み時の打ち込み具ｎの振れが規制されて打ち込み材Ｗに真っ直ぐに打ち込まれるようになっている。
本実施形態では、このノーズアダプタ１０自体が、発光機能を有する樹脂材料（発光材料）を素材として成形されている。このため、バッテリ等の電源を何ら必要とすることなく、ノーズアダプタ１０自体が光を発する発光部Ｆとして機能する。このノーズアダプタ１０は、その弾性を利用して材当接部９ａの外周側に覆い被さるようにして装着されている。
コンタクトレバー９の材当接部９ａであって射出口４ｂの周囲に装着されたノーズアダプタ１０が発光することにより、打ち込み材Ｗの打ち込み部位の周辺が明るく照らされる。ノーズアダプタ１０により打ち込み部位が明るく照らされることにより、暗所等であっても打ち込み部位を容易に目視することができ、これにより使用者は打ち込み作業を迅速かつ精確に行うことができる。
ドライバガイド４の打ち込み通路４ａ内には、工具本体部２の打ち込み動作に連動して打ち込み具ｎが１本ずつ供給される。マガジン５には、多数の打ち込み具ｎ〜ｎが並列に連結された連結打ち込み具が巻回状態で装填されている。連結打ち込み具の先端側が工具本体部２の打ち込み動作に連動してピッチ送りされることにより、打ち込み具ｎが１本ずつ打ち込み通路４ａ内に供給される。なお、図１及び図２では、打ち込み通路４ａ内に供給された打ち込み具ｎのみが示されて連結打ち込み具は省略されている。
【００１０】
以上のように構成した本実施形態の打ち込み工具１によれば、ドライバガイド４の射出口４ｂ周辺が発光部Ｆにより明るく照らされることから、暗所等でも打ち込み部位を目視しやすくなるので、打ち込み作業を迅速かつ精確に行うことができるようになる。
また、本実施形態ではノーズアダプタ１０自体が発光材料を素材として成形されていることから、当該ノーズアダプタ１０に材傷付き防止機能と発光機能を併せ持たせることができ、これにより別途ＬＥＤ等の光源を組み込む構成に比して構成の複雑化及びコストアップを招くことなく、打ち込み部位を明るく照らすことができる。このノーズアダプタ１０は、弾性樹脂材料（発光材料）で成形されているので、コンタクトレバー９の材当接部９ａから簡単に取り外すことができる。
また、ノースアダプタ１０を交換し、あるいは射出口４ｂの周囲に発光塗料や蓄光塗料を塗布することにより、係る発光部Ｆを有しない既存製品について低コストで発光部Ｆを後付けすることができる。
【００１１】
以上説明した実施形態には、種々変更を加えることができる。例えば、コンタクトレバー９の材当接部９ａに装着するノーズアダプタ１０を発光材料で成形して当該ノーズアダプタ１０自体を発光部Ｆとする構成を例示したが、その他の部位に発光部Ｆを設ける構成としてもよい。例えば、コンタクトレバー９の材当接部９ａやドライバガイド４の先端部を発光材料で形成する構成としてもよい。また、材当接部９ａやドライバガイド４の先端部であって射出口４ｂの周辺に発光塗料や蓄光塗料を塗布して発光部Ｆとしてもよい。
図４には、例示したノーズアダプタ１０自体を発光部Ｆとしない形態であって、コンタクトレバー９の材当接部９ａの外面に蓄光塗料を塗布して発光部Ｆとした構成が示されている。係る構成であっても、射出口４ｂの周辺であって打ち込み材Ｗの打ち込み部位周辺が発光部Ｆによって明るく照らされることから、暗所等であっても使用者は打ち込み部位をはっきり目視することができ、これにより打ち込み作業を迅速かつ精確に行うことができる。
さらには、ドライバガイド４の全体を発光材で形成し、若しくは全体に発光塗料や蓄光塗料を塗布する構成としてもよい。ドライバガイド４の少なくとも先端部に発光部Ｆを設ける構成の場合には、射出口４ｂ自体が発光部Ｆとされ、最も効率よく射出口４ｂひいては打ち込み部位を明るく照らすことができる。
要は、ＬＥＤ等の照明具にようにバッテリ等の特別の電源を必要とせず、打ち込み部位に最も近い部位であって射出口４ｂの周辺に蛍光材や蓄光材等の発光部Ｆを設け、あるいは射出口４ｂ自体を発光部Ｆとすることにより、暗所等であっても使用者は打ち込み部位を目で容易に確認できるようになるので打ち込み作業を迅速かつ精確に行うことができる。
【符号の説明】
【００１２】
１…打ち込み工具（圧縮エア式釘打ち機）
２…工具本体部
３…ハンドル部、３ａ…ホース接続プラグ
４…ドライバガイド
４ａ…打ち込み通路、４ｂ…射出口
５…マガジン
６…スイッチレバー
７…ピストン
８…ドライバ
９…コンタクトレバー、９ａ…材当接部
Ｆ…発光部
１０…ノーズアダプタ、１０ａ…規制孔
１１…ガイド部材
ｎ…打ち込み具
Ｗ…打ち込み材
【図１】
2014034092.tif 000003
【図２】
2014034092.tif 000004
【図３】
2014034092.tif 000005
【図４】
2014034092.tif 000006